(57)【特許請求の範囲】
【請求項１】
立坑の内壁を調査する立坑内壁調査装置を立坑内に吊り下げる吊下治具であって、
前記立坑の上端部の開口を覆う天蓋の外周部または前記立坑の上端部に取付可能な取付部と、
前記取付部から延びる竿部と、
一端が前記立坑内壁調査装置に接続される線条体を前記竿部の先端でガイドする第１のガイド部材とを備え、
前記竿部は、前記取付部を前記天蓋の外周部または前記立坑の上端部に取り付けたときに前記天蓋に形成された昇降口を通って斜め下方に傾斜するように構成されている
ことを特徴とする立坑内壁調査装置の吊下治具。
【請求項２】
前記取付部は、前記天蓋の外周部または前記立坑の上端部に係合可能な係合部を備えたことを特徴とする請求項１に記載の立坑内壁調査装置の吊下治具。
【請求項３】
前記竿部は、該竿部の長手方向で結合される複数の部材からなることを特徴とする請求項１または２に記載の立坑内壁調査装置の吊下治具。
【請求項４】
前記第１のガイド部材と前記取付部との間で前記線条体をガイドする第２のガイド部材をさらに備えたことを特徴とする請求項１から３のいずれか一項に記載の立坑内壁調査装置の吊下治具。
【請求項５】
前記第２のガイド部材は、前記第１のガイド部材と該第２のガイド部材との間の前記線条体の軸線と、該第２のガイド部材から前記線条体の他端までの軸線とをずらすように構成されていることを特徴とする請求項４に記載の立坑内壁調査装置の吊下治具。
【請求項６】
前記竿部は、前記第２のガイド部材が設けられた位置で折れ曲がっていることを特徴とする請求項４または５に記載の立坑内壁調査装置の吊下治具。
【請求項７】
前記取付部は、水平方向に延び、前記天蓋の外周部の上面に接触するフランジを有することを特徴とする請求項１から６のいずれか一項に記載の立坑内壁調査装置の吊下治具。
【発明の詳細な説明】
【技術分野】
【０００１】
本発明は、立坑内壁調査装置の吊下治具に係り、特に集水井などの立坑の主として経年による変形状況や腐食状況等を調査するために用いる立坑内壁調査装置を立坑内に吊り下げるための吊下治具に関するものである。
【背景技術】
【０００２】
地すべりが起こりやすい場所では、地下水を集めて川等に流すために、図１に示すような集水井５００が設けられることがある。地すべりの起こりやすい斜面に、例えば直径が３〜４ｍ、深さが２０〜６０ｍの立坑５０１が設けられる。この立坑５０１には集水のための複数本の集水管５０２が接続され、かつ、集めた水を川等に流すための１本の排水管５０３が接続される。図１の破線５０４はすべり面を示す。立坑５０１は、例えば図２に示すようなライナープレート５１０を周方向および鉛直方向に連結して構築される。
【０００３】
このライナープレート製の立坑あるいはその他の金属部材で構築した立坑においては、構築後年月を経過したものについて変形状況や腐食状況を調査することが必要となる場合がある。また、セグメントなどの鉄筋コンクリート造りの立坑でも、変形状況などを調査することが必要となる場合がある。
【０００４】
この種の立坑の内部を調査する方法として、立坑内に調査装置を吊り下げ、この調査装置により内壁の状態を取得する方法がある。このような調査装置を立坑内に吊り下げる治具や装置として、例えば特許文献１〜５に開示されたものが知られている。
【先行技術文献】
【特許文献】
【０００５】
【特許文献１】実開平４−９６０１１号公報
【特許文献２】特開２０００−２５３１号公報
【特許文献３】特開平１０−３００４６１号公報
【特許文献４】実開平４−７８５０７号公報
【特許文献５】特開２００３−５０９３号公報
【発明の概要】
【発明が解決しようとする課題】
【０００６】
しかしながら、上記特許文献１〜５に開示された治具や装置は、立坑の上端部に設置されている天蓋を取り外してから立坑内に調査装置を吊り下げるものであり、使用に際しては天蓋を取り外す必要がある。一般的に、天蓋の重量は３００ｋｇを超えるものであり、天蓋を取り外したり再度設置したりするためには重機を使用する必要がある。
【０００７】
また、上記特許文献１〜５に開示された治具や装置を用いて立坑内に調査装置を吊り下げる場合には、吊下治具を安定的に設置するために吊下治具を支持する土台を吊下治具の長さに応じて大型化する必要が生じる。
【０００８】
このように、調査装置自体を小型化したとしても、天蓋や吊下治具を支持する土台の重量が大きくなるため、重機を用いなければ立坑の調査ができないという問題がある。重機を立坑が設置される場所まで搬入するためには、立坑までの搬入路を確保する必要があるが、立坑の設置される場所は山間部であることが多く、重機の搬入には多大な手間とコストがかかる。
【０００９】
本発明は、このような従来技術の問題点に鑑みてなされたもので、軽量かつ安価な構成で、立坑に設置された天蓋を取り外すことなく、立坑内に調査装置を吊り下げることができる立坑内壁調査装置の吊下治具を提供することを目的とする。
【課題を解決するための手段】
【００１０】
上記課題を解決する請求項１の発明は、立坑の内壁を調査する立坑内壁調査装置を立坑内に吊り下げる吊下治具であって、前記立坑の上端部の開口を覆う天蓋の外周部または前記立坑の上端部に取付可能な取付部と、前記取付部から延びる竿部と、一端が前記立坑内壁調査装置に接続される線条体を前記竿部の先端でガイドする第１のガイド部材とを備え、前記竿部は、前記取付部を前記天蓋の外周部または前記立坑の上端部に取り付けたときに前記天蓋に形成された昇降口を通って斜め下方に傾斜するように構成されていることを特徴とする立坑内壁調査装置の吊下治具である。
【００１１】
請求項２は、請求項１に記載の立坑内壁調査装置の吊下治具において、前記取付部は、前記天蓋の外周部または前記立坑の上端部に係合可能な係合部を備えたことを特徴とする。
【００１２】
請求項３は、請求項１または２に記載の立坑内壁調査装置の吊下治具において、前記竿部は、該竿部の長手方向で結合される複数の部材からなることを特徴とする。
【００１３】
請求項４は、請求項１から３のいずれか一項に記載の立坑内壁調査装置の吊下治具において、前記第１のガイド部材と前記取付部との間で前記線条体をガイドする第２のガイド部材をさらに備えたことを特徴とする。
【００１４】
請求項５は、請求項４に記載の立坑内壁調査装置の吊下治具において、前記第２のガイド部材は、前記第１のガイド部材と該第２のガイド部材との間の前記線条体の軸線と、該第２のガイド部材から前記線条体の他端までの軸線とをずらすように構成されていることを特徴とする。
【００１５】
請求項６は、請求項４または５に記載の立坑内壁調査装置の吊下治具において、前記竿部は、前記第２のガイド部材が設けられた位置で折れ曲がっていることを特徴とする。
【００１６】
請求項７は、請求項１から６のいずれか一項に記載の立坑内壁調査装置の吊下治具において、前記取付部は、水平方向に延び、前記天蓋の外周部の上面に接触するフランジを有することを特徴とする。
【発明の効果】
【００１７】
本発明によれば、天蓋の昇降口から吊下治具の竿部を立坑内に斜め下方に挿入し、吊下治具の取付部を天蓋の外周部または立坑の上端部に取り付けることができる。これにより、線条体を介して立坑内壁調査装置を立坑内で昇降させることができる。このように、本発明によれば、軽量かつ安価な構成で、立坑に設置された天蓋を取り外すことなく、立坑内に調査装置を吊り下げることができる。
【図面の簡単な説明】
【００１８】
【図１】集水井の設置状況を説明するための図である。
【図２】立坑に用いられるライナープレートを示す斜視図である。
【図３】本発明の一実施例に係る吊下治具を用いて立坑内壁調査装置を立坑内に吊り下げている状態を示す模式的断面図である。
【図４】立坑の上端部の開口を覆う天蓋を示す平面図である。
【図５】図４のV−V線断面図である。
【図６】図３の吊下治具を模式的に示す図である。
【図７】図３の吊下治具の第１部材を示す正面図である。
【図８】図７のVIII方向から見た図である。
【図９】図３の吊下治具の第２部材を示す正面図である。
【図１０】図９のX方向から見た図である。
【図１１】図９のXI方向から見た図である。
【図１２】図３の吊下治具の第３部材を示す正面図である。
【図１３】図１２のXIII方向から見た図である。
【図１４】図１２の側面図である。
【図１５】図１２の第３部材の第１のＬ型フランジに枠リングが挿入された状態を示す部分拡大図である。
【図１６】図１４の第３部材の第２のＬ型フランジを用いて取付部を固定する例を示す図である。
【図１７】本発明の他の実施例に係る吊下治具を模式的に示す図である。
【図１８】本発明のさらに他の実施例に係る吊下治具を模式的に示す図である。
【図１９】本発明のさらに他の実施例に係る吊下治具に用いられるガイド部材を示す斜視図である。
【図２０】本発明のさらに他の実施例に係る吊下治具に用いられるガイド部材を示す斜視図である。
【発明を実施するための形態】
【００１９】
以下、本発明に係る立坑内壁調査装置の吊下治具の実施例について、図１から図２０を参照して説明する。なお、図１から図２０において、同一または相当する構成要素には、同一の符号を付して重複した説明を省略する。
【実施例１】
【００２０】
まず、本発明に係る吊下治具を用いて立坑内壁調査装置を吊り下げる立坑について説明する。図１は、立坑５０１を含む集水井５００の設置状況を説明するための図である。図１に示すように、集水井５００は、地すべりが起こりやすい場所で地下水を集めて川等に流して地すべりを抑制するために設けられる。この集水井５００は、立坑５０１と、立坑５０１に接続された複数本の集水管５０２と、立坑５０１に接続された１本の排水管５０３とから構成される。
【００２１】
立坑５０１は、図２に示すような円弧状のライナープレート５１０を周方向および鉛直方向に連結して構築した円筒状の構築物である。立坑５０１のサイズは特に限定されないが、例えばその直径が３〜４ｍ、深さが２０〜６０ｍである。
【００２２】
図２に示すように、ライナープレート５１０は、円弧状の波付け鋼板部５１０ａの波付け方向の両端に鋼板を折り曲げて形成したフランジ５１０ｂを持ち、波付け方向と直交する方向の両端に、別部材の端面プレートを溶接固定したフランジ５１０ｃを持つ構造であり、表面には亜鉛メッキが施されている。
【００２３】
複数のライナープレート５１０の円周方向（波付け方向と直交する方向）のフランジ５１０ｃ同士をボルト接合してリングを形成するとともに、上下に隣接するライナープレート５１０のフランジ５１０ｂ同士をボルト接合して、円筒状の立坑５０１を構築する。その施工は一般に、立坑の頂部（最初の１〜３リング分）を組み立てその周囲を裏込めしかつ固定した後、掘削、組立てを繰り返してライナープレートを下に継ぎ足していき、所望の深さの立坑５０１を構築する。
【００２４】
このようなライナープレートにより構築された立坑５０１においては、構築後例えば２０〜３０年などと年月を経過しているものは、変形状況や腐食状況等を調査することが必要となる場合がある。そのような場合に、本発明に係る吊下治具を用いて立坑内壁調査装置を立坑５０１内に吊り下げ、立坑５０１の内壁の調査を行う。
【００２５】
図３は、本発明の第１の実施例に係る吊下治具１０を用いて立坑内壁調査装置１を立坑５０１内に吊り下げている状態を示す模式的断面図である。図３に示すように、立坑内壁調査装置１は、立坑５０１の上端部の開口を覆う天蓋５２０の外周部に固定された吊下治具１０を用いて立坑５０１内に吊り下げられている。立坑内壁調査装置１は、吊下治具１０に設けられたウィンチ１２から延びるワイヤロープ（線条体）１４に接続されており、ウィンチ１２の駆動により立坑５０１内を昇降するようになっている。なお、立坑５０１の内壁５０１ａに沿って梯子５０５が螺旋状に設けられている。
【００２６】
図４は天蓋５２０の平面図、図５は図４のV−V線断面図である。天蓋５２０は、転落事故等を防止するために立坑５０１の上端部の開口を覆うために設置されるものであり、立坑５０１に対応した形状を有している。図４に示すように、本実施例における天蓋５２０は、外周部に設けられた環状の枠リング５２１と、枠リング５２１に取り付けられた複数の梁材５２２と、枠リング５２１および梁材５２２の上に取り付けられた略円板状のエキスパンドメタル５２３と、梁材５２２に開閉可能に取り付けられた扉５２４とを有している。図５に示すように、天蓋５２０は、立坑５０１のライナープレート５１０の上端に載置される。
【００２７】
天蓋５２０の扉５２４は把手５２４ａにより開閉可能となっており、扉５２４を開くと作業員が立坑５０１の内部に入るときに使用される昇降口が形成されるようになっている。作業員はこの昇降口から梯子５０５を使って立坑５０１の内部に入っていくことができる。
【００２８】
図６は、吊下治具１０を模式的に示す図である。図６に示すように、吊下治具１０は、ワイヤロープ１４を巻き上げるウィンチ１２と、天蓋５２０の外周部に取付可能な取付部１６と、取付部１６から延びる竿部１８と、竿部１８の先端に設けられた第１のガイド部材２０と、第１のガイド部材２０とウィンチ１２との間に設けられた第２のガイド部材２２とを備えている。
【００２９】
第１のガイド部材２０および第２のガイド部材２２は、立坑内壁調査装置１に接続されたワイヤロープ１４をガイドするものであり、本実施例においては、第１のガイド部材２０および第２のガイド部材２２として滑車が用いられている。図６に示すように、立坑内壁調査装置１から鉛直方向に延びるワイヤロープ１４は、竿部１８の先端に設けられた第１のガイド部材２０の滑車の上面にガイドされ、第２のガイド部材２２の滑車の下面にガイドされ、ウィンチ１２に至る。このように、２つのガイド部材２０，２２によってワイヤロープ１４をガイドすることによって、ウィンチ１２から立坑内壁調査装置１に至るワイヤロープ１４のブレが小さくなるようにしている。
【００３０】
このように、本実施例においては、第１のガイド部材２０と第２のガイド部材２２との間のワイヤロープ１４の延長方向軸線と、第２のガイド部材２２からウィンチ１２に至るまでのワイヤロープ１４の延長方向軸線とがずれるように構成されており、ワイヤロープ１４が確実に第１のガイド部材２０および第２のガイド部材２２にガイドされるようになっている。
【００３１】
図６に示すように、本実施例における吊下治具１０は、竿部１８の長手方向で結合される３つの部材１１０，１２０，１３０から構成されており、これら３つの部材１１０，１２０，１３０に分割できるようになっている。このように、本実施例における吊下治具１０は、３つの部材１１０，１２０，１３０に分割することができるので、持ち運びがしやすい。したがって、重機などが入っていけない山間部にある立坑の内壁調査が極めて容易になる。
【００３２】
図７は第１部材１１０を示す正面図、図８は図７のVIII方向から見た図である。図７に示すように、第１部材１１０は、竿部１８の一部を構成する四角柱状の軸部１１１と、軸部１１１の一端に設けられたフランジ１１２とを備えている。図８に示すように、フランジ１１２には４つの貫通孔１１２ａが形成されている。
【００３３】
図９は第２部材１２０を示す正面図、図１０は図９のX方向から見た図、図１１は図９のXI方向から見た図である。図９に示すように、第２部材１２０は、竿部１８の一部を構成する四角柱状の軸部１２１と、軸部１２１の一端に設けられたフランジ１２２と、軸部１２１の他端に設けられたフランジ１２３とを備えている。図１０に示すように、フランジ１２２には４つの貫通孔１２２ａが形成されている。また、図１１に示すように、フランジ１２３には４つの貫通孔１２３ａが形成されている。
【００３４】
上述した第１部材１１０のフランジ１１２の貫通孔１１２ａと第２部材１２０のフランジ１２２の貫通孔１２２ａとにボルト（図示せず）を挿通し、これらのボルトにナット（図示せず）を締結することで第１部材１１０と第２部材１２０とを連結することができる。
【００３５】
図１２は第３部材１３０を示す正面図、図１３は図１２のXIII方向から見た図、図１４は図１２の側面図である。図１２に示すように、第３部材１３０は、竿部１８の一部を構成する四角柱状の軸部１３１と、軸部１３１の一端に設けられたフランジ１３２と、軸部１３１の他端に設けられた取付部１６と、取付部１６の上部に設けられたウィンチ台１３３とを備えている。図１３に示すように、フランジ１３２には４つの貫通孔１３２ａが形成されている。
【００３６】
上述した第２部材１２０のフランジ１２３の貫通孔１２３ａと第３部材１３０のフランジ１３２の貫通孔１３２ａとにボルト（図示せず）を挿通し、これらのボルトにナット（図示せず）を締結することで第２部材１２０と第３部材１３０とを連結することができる。
【００３７】
図１２および図１４に示すように、取付部１６は、略台形柱状の基部１３４と、基部１３４の下端に設けられた第１のＬ型フランジ１３５と、基部１３４の両側に取り付けられた第２のＬ型フランジ１３６とを有している。
【００３８】
第１のＬ型フランジ１３５は、垂直方向に延びる垂直部１３５ａと、水平方向に延びる水平部１３５ｂとを有しており、垂直部１３５ａが基部１３４に固定されている。図１２に示すように、水平部１３５ｂの上面と基部１３４の下面との間には隙間Ｇが形成されている。図１５に示すように、この隙間Ｇには、天蓋５２０の外周部にある枠リング５２１を挿入することができるようになっており、枠リング５２１を挿入すると、第１のＬ型フランジ１３５の水平部１３５ｂが枠リング５２１に係合し、取付部１６が天蓋５２０の外周部に固定される。このように、本実施例における第１のＬ型フランジ１３５は、天蓋５２０の枠リング５２１に係合可能な係合部として機能する。
【００３９】
第２のＬ型フランジ１３６は、垂直方向に延びる垂直部１３６ａと、水平方向に延びる水平部１３６ｂとを有しており、垂直部１３６ａが基部１３４に固定されている。水平部１３６ｂの下面は天蓋５２０の外周部（枠リング５２１）に接触するようになっている。上述した第１のＬ型フランジ１３５の係合による取付部１６の固定が十分でない場合には、この第２のＬ型フランジ１３６により取付部１６の固定を補強することができる。すなわち、図１６に示すように、第２のＬ型フランジ１３６の水平部１３６ｂと天蓋５２０の枠リング５２１とをクランプ１３７などにより挟み込むことにより、取付部１６を天蓋５２０の外周部に固定することができる。また、第２のＬ型フランジ１３６の水平部１３６ｂは、枠リング５２１を上述した隙間Ｇに挿入する際に枠リング５２１をガイドする役割も有する。
【００４０】
このような構成の吊下治具１０において、ウィンチ１２からのワイヤロープ１４を第２のガイド部材２２および第１のガイド部材２０に通し、端部を立坑内壁調査装置１に接続する。天蓋５２０の扉５２４を開き、昇降口から吊下治具１０の竿部１８を立坑５０１内に斜め下方に挿入する。そして、取付部１６の第１のＬ型フランジ１３５を天蓋５２０の枠リング５２１に係合させることにより、吊下治具１０を天蓋５２０の外周部に固定する。必要に応じて、クランプやシャコマンなどの工具を用いて第２のＬ型フランジ１３６を天蓋５２０の外周部に固定してもよい。このようにして設置された吊下治具１０のウィンチ１２を駆動させることにより立坑内壁調査装置１を立坑５０１内で昇降させることができる。
【００４１】
上述したように、本実施例によれば、第１のＬ型フランジ１３５を天蓋５２０の枠リング５２１に係合させることにより取付部１６を天蓋５２０の外周部に固定することができるので、吊下治具１０の天蓋５２０への取付が極めて容易である。また、第１のＬ型フランジ１３５と枠リング５２１との係合だけでは吊下治具１０の固定が不十分である場合には、クランプやシャコマンなどの工具を用いて第２のＬ型フランジ１３６を強固に天蓋５２０の外周部に固定することができる。
【実施例２】
【００４２】
図１７は、本発明の他の実施例に係る吊下治具２１０を模式的に示す図である。本実施例は、第２のガイド部材２２２の滑車の径を大きくしたもので、立坑内壁調査装置１からのワイヤロープ１４が、竿部１８の先端に設けられた第１のガイド部材２０の滑車の上面にガイドされ、第２のガイド部材２２２の滑車の上面にガイドされるように構成されている。本実施例においても、第１のガイド部材２０と第２のガイド部材２２２との間のワイヤロープ１４の延長方向軸線と、第２のガイド部材２２２からウィンチ１２に至るまでのワイヤロープ１４の延長方向軸線とがずれるように構成されている。
【実施例３】
【００４３】
図１８は、本発明の他の実施例に係る吊下治具３１０を模式的に示す図である。本実施例においては、第２のガイド部材３２２が設けられた位置で竿部３１８が折れ曲がっている。立坑内壁調査装置１からのワイヤロープ１４は、竿部３１８の先端に設けられた第１のガイド部材２０の滑車の上面にガイドされ、第２のガイド部材３２２の滑車の上面にガイドされるように構成されている。本実施例においても、第１のガイド部材２０と第２のガイド部材３２２との間のワイヤロープ１４の延長方向軸線と、第２のガイド部材３２２からウィンチ１２に至るまでのワイヤロープ１４の延長方向軸線がずれるように構成されている。
【実施例４】
【００４４】
上述した実施例においては、ガイド部材２０，２２として滑車を用いた例について説明したが、ガイド部材２０，２２はワイヤロープ１４をガイドする機能があればどのようなものであってもよい。例えば、図１９に示すような環状ガイド部材４２０や、図２０に示すような螺旋状ガイド部材４２１を用いることもできる。図２０に示す螺旋状ガイド部材４２１は、ワイヤロープ１４の両端が固定された後であっても容易にワイヤロープ１４を螺旋状ガイド部材４２１に通すことができる。
【００４５】
また、上述した実施例においては、吊下治具１０の取付部１６を天蓋５２０の外周部にある枠リング５２１に取り付ける例について説明したが、これに限られるものではない。例えば、吊下治具１０の取付部１６を立坑２０１（ライナープレート５１０）の上端部に直接取り付けられるように構成してもよい。
【００４６】
また、上述した実施例においては、ワイヤロープ１４にウィンチ１２を接続して立坑内壁調査装置１を昇降させる例について説明したが、必ずしもウィンチ１２を用いる必要はない。例えば、人力によりワイヤロープ１４を引っ張ってもよい。
【００４７】
これまで本発明の好ましい実施例について説明したが、本発明は上述の実施例に限定されず、その技術的思想の範囲内において種々異なる形態にて実施されてよいことは言うまでもない。
【符号の説明】
【００４８】
Ｇ    隙間
１    立坑内壁調査装置
１０    吊下治具
１２    ウィンチ
１４    ワイヤロープ（線条体）
１６    取付部
１８    竿部
２０    第１のガイド部材
２２    第２のガイド部材
１１０    第１部材
１１１    軸部
１１２    フランジ
１２０    第２部材
１２１    軸部
１２２，１２３    フランジ
１３０    第３部材
１３１    軸部
１３２    フランジ
１３３    ウィンチ台
１３４    基部
１３５    第１のＬ型フランジ（係合部）
１３５ａ  垂直部
１３５ｂ  水平部
１３６    第２のＬ型フランジ
１３６ａ  垂直部
１３６ｂ  水平部
１３７    クランプ
２１０    吊下治具
２２２    第２のガイド部材
３１０    吊下治具
３１８    竿部
３２２    第２のガイド部材
４２０    環状ガイド部材
４２１    螺旋状ガイド部材
５００    集水井
５０１    立坑
５０１ａ  （立坑の）内壁
５０５    梯子
５１０    ライナープレート
５２０    天蓋
５２１    枠リング
５２２    梁材
５２３    エキスパンドメタル
５２４    扉
５２４ａ  把手
【図１】
0005635458.tif 000002
【図２】
0005635458.tif 000003
【図３】
0005635458.tif 000004
【図４】
0005635458.tif 000005
【図５】
0005635458.tif 000006
【図６】
0005635458.tif 000007
【図７】
0005635458.tif 000008
【図８】
0005635458.tif 000009
【図９】
0005635458.tif 000010
【図１０】
0005635458.tif 000011
【図１１】
0005635458.tif 000012
【図１２】
0005635458.tif 000013
【図１３】
0005635458.tif 000014
【図１４】
0005635458.tif 000015
【図１５】
0005635458.tif 000016
【図１６】
0005635458.tif 000017
【図１７】
0005635458.tif 000018
【図１８】
0005635458.tif 000019
【図１９】
0005635458.tif 000020
【図２０】
0005635458.tif 000021